(57)【要約】【課題】  着脱自在な記憶媒体が収納されたスロットに選択的に風を通すことができる情報処理装置を提供する。【解決手段】  複数の記憶媒体１０８ａ〜ｃを、それぞれ挿入するスロット１０７ａ〜ｃを備えた情報処理装置１２４であって、スロット１０７ａ〜ｃに隣接して設けられた風路１０５ａ〜ｃを塞ぐ蓋１０２ａ〜ｃを、挿入する記憶媒体１０８ａ〜ｃにより押すことにより、風路１０５ａ〜ｃを風が通るように構成され、ファン１２０により記憶媒体１０８ａ〜ｃを冷却する。【選択図】  図３
2006146534.tif 000002
【特許請求の範囲】
【請求項１】
複数の記憶媒体を収納する情報処理装置であって、
前記複数の記憶媒体の熱交換のための風を発生させる送風装置と、
前記複数の記憶媒体を収納するための複数のスロットと、
前記送風装置より流れる風を、前記複数の記憶媒体の少なくとも一面に沿って流れるようなそれぞれの風路を形成するための風路形成部材と、
前記複数の記憶媒体の挿抜動作に連動し、前記送風装置より送られる風が前記風路に流れる状態と流れない状態を選択的に切り替える複数の遮断部材とを有し、
前記記憶媒体が収納されていない前記スロットにおいては、前記遮断部材は前記送風装置より前記風路に流れる風を遮断し、前記記憶媒体が収納されている前記スロットにおいては前記送風装置より流れる風を前記風路に通すことを特徴とする情報処理装置。
【請求項２】
前記遮断部材が前記記憶媒体に密着して、前記記憶媒体の熱を前記蓋に伝達し、前記送風装置より前記風路に流れる風を前記遮断部材が有する放熱部に当てて熱交換を行うことを特徴とする請求項１に記載の情報処理装置。
【請求項３】
前記遮断部材が前記記憶媒体と嵌合するための前記スロット内コネクタの接点に異物が付着するのを防止するための接点保護部材を有することを特徴とする請求項２又は３に記載の情報処理装置。
【請求項４】
前記熱交換は前記記憶媒体が冷却される熱交換であることを特徴とする請求項１乃至３の何れか１項に記載の情報処理装置。
【請求項５】
前記遮断部材は、前記記憶媒体を前記情報処理装置に装着するときに、前記記憶媒体の一面で押されることにより回動する構成であることを特徴する請求項１乃至４の何れか１項に記載の情報処理装置。
【請求項６】
前記遮断部材の断面が、Ｌ字状であることを特徴とする請求項１乃至５の何れか１項に記載の情報処理装置。
【請求項７】
前記記憶媒体により押される前記遮断部材の部分に、円柱状の部材が取り付けられていることを特徴とする請求項５に記載の情報処理装置。
【発明の詳細な説明】
【技術分野】
【０００１】
本発明は、複数の記憶媒体を収納可能な情報処理装置に関し、特に、冷却機構を備え、複数の記憶媒体を収納する情報処理装置に関する。
【背景技術】
【０００２】
近年、オフィスでは日常的にパーソナルコンピュータを使用し、自宅にもパーソナルコンピュータを所有して、複数台を利用する人が増えている。そのため、パーソナルコンピュータ内のＨＤＤ（ハードディスクドライブ）などの記憶媒体に蓄積された電子データを、一元的に管理する事や、大容量の電子データを持ち運びしたいという要望が生じている。これらの要望に対応するため、持ち運びが容易で、簡単に交換できるＨＤＤなどの記憶媒体、例えばＲ−ＨＤＤ（リムーバブルハードディスクドライブ）が提案されている。
【０００３】
また、ＨＤＤなどの記憶媒体の進歩発展は、めざましいものがあり、小型化、薄型化、高性能化が大きく進展しつつある。これらを利用したＲ−ＨＤＤなどの記憶媒体は、コンパクト性に富むことから特に使用され易い。
【０００４】
一方、パーソナルコンピュータなどの情報処理装置は、Ｒ−ＨＤＤなどの記憶媒体を使用可能であり、複数の記憶媒体を個別に挿抜可能としているものが提案されている。この様な構成は、例えば、ＲＡＩＤにより複数個のＨＤＤを利用するとき有効である。
【０００５】
ＲＡＩＤ（Ｒｅｄｕｎｄａｎｔ  Ａｒｒａｙ  ｏｆ  Ｉｎｄｅｐｅｎｄｅｎｔ  Ｄｉｓｋｓ）は、大容量データを扱うための一般的システムであり、ＨＤＤを複数個利用して大容量の電子データを分散して保存し、信頼性、耐故障性、アクセス性能などを向上させている。パーソナルコンピュータからは１つの論理ユニットとして認識される。このように、複数個の記憶媒体を利用するパーソナルコンピュータなどの情報処理装置が、今後さらに多くなりつつある。
【０００６】
このような複数個のＨＤＤを利用する情報処理装置の中には、複数のスロットに収納されたＨＤＤを一つのファンで冷却する形態を有するものがある。各スロットにはＨＤＤを個々に冷却するための風路が形成されており、ファンより送風される風を各スロットに均等に分散して冷却する。しかしながら、このような形態をとると、ＨＤＤが収納されていない場合、スロット内の風路には、ＨＤＤの大きさとほぼ同じ大きさの空き空間が形成され、風路が肥大化し、空きスロットの風路はＨＤＤが収納された他のスロットに比べ、風に対する抵抗が減少し、ファンからの風が空きスロットの風路に多く流れてしまう。そのため、ＨＤＤが収納されたスロットの風量が減少し、充分な冷却効果を得られないという問題があった。
【０００７】
このような問題に対処した提案として特許文献１がある。特許文献１では、ＨＤＤが入っていないスロットにＨＤＤとほぼ同じ大きさのダミーＨＤＤを収納し、ＨＤＤが収納されたスロットとほぼ同じ風の抵抗を有する風路を形成し、ＨＤＤが収納されたスロットと、ＨＤＤが収納されていないスロットに均等に風を送り込むというものである。
【０００８】
また、他の従来の技術としては、特許文献２が挙げられる。特許文献２では、発熱する部品を実装した複数の基板を収納して電気的接続を行う本体装置内における、複数の基板の冷却構造に関しての発明である。本体装置と基板は、本体装置が有するリセプタクルコネクタ及び、基板が有すプラグコネクタの嵌合によって電気的接続を行う構成となっている。特許文献２の特徴とするところは、基板を収納するためのスロット内側面に、基板の収納の動きと連動しスロットの通風口を開閉するシャッターを設け、基板の収納されているスロットのシャッターのみを選択的に開け冷却風を取り込むというものである。基板が収納されていないスロットにおいてはシャッターを閉じ、基板が収納されているスロットにおいてはシャッターを開ける構成となっている。
【特許文献１】特開平１１−２３３９８５号公報
【特許文献２】特開平５−２９９８６１号公報
【発明の開示】
【発明が解決しようとする課題】
【０００９】
しかし、特許文献１のような構成であると、わざわざダミーＨＤＤを挿入する必要があり、また、ファンへ供給される電力が一定である場合、各スロットに送風される風量も一定であるので、空きスロットがあった時にはファンの電力使用量に対する実際に冷却に寄与する電力の割合が低く無駄が多かった。
【００１０】
さらに、ＨＤＤを空きスロットに収納する際などは、ダミーＨＤＤを一度取り外してから収納する必要があり、ユーザーに煩雑な作業を強いることとなっていた。また、ダミーＨＤＤを紛失するなどの問題が生じることがあった。
【００１１】
また、特許文献２６１のような構成では、基板の収納されているスロットのシャッターのみを開き、収納された基板に対して風通しを良くするだけであって、収納された基板上の熱を積極的に放熱するという効果を期待することができなかった。
【００１２】
さらに、基板が収納されていないスロットにおいてシャッターは閉口するようになっているが、何らかの原因で蓋の閉まりが不完全であるとスロット内に少量の風が流れ込む可能性があった。その際、基板が収納されていないスロットにおいては、コネクタの接点が露出状態となり、少量の風が運ぶ異物がコネクタの接点に付着し接触不良の原因となっていた。
【００１３】
本発明は、着脱自在な記憶媒体が収納されたスロットに選択的に風を通すことができる情報処理装置を提供することを目的とする。
【００１４】
また、本発明は、記憶媒体が収納されることにより、風が通る経路を解放状態とする情報処理装置を提供することを目的とする。
【００１５】
また、本発明は、収納された記憶媒体を効率良く冷却する情報処理装置を提供することを目的とする。
【課題を解決するための手段】
【００１６】
上記課題を解決するために、本発明の情報処理装置は、複数の記憶媒体を収納する情報処理装置であって、前記複数の記憶媒体の熱交換のための風を発生させる送風装置と、前記複数の記憶媒体を収納するための複数のスロットと、前記送風装置より流れる風を、前記複数の記憶媒体の少なくとも一面に沿って流れるようなそれぞれの風路を形成するための風路形成部材と、前記複数の記憶媒体の挿抜動作に連動し、前記送風装置より送られる風が前記風路に流れる状態と流れない状態を選択的に切り替える複数の遮断部材とを有し、前記記憶媒体が収納されていない前記スロットにおいては、前記遮断部材は前記送風装置より前記風路に流れる風を遮断し、前記記憶媒体が収納されている前記スロットにおいては前記送風装置より流れる風を前記風路に通すことを特徴とする。
【発明の効果】
【００１７】
本発明の情報処理装置によれば、着脱自在な記憶媒体が収納されたスロットに選択的に風を通すことができる。
【発明を実施するための最良の形態】
【００１８】
本発明の、一実施の形態について、図面を用いて詳細に説明する。
【００１９】
（第一の実施の形態）
図１（Ａ）、（Ｂ）は本発明に係る情報処理装置１２４の斜視図である。図１（Ａ）、（Ｂ）において、情報処理装置１２４は、フロントカバー１２２、筐体１０１、基板１１３、ダクト１１０、ファン１２０が積層された構造となっている。そして、それら全てに、ビス１２３ａ、ｂ、ｃ、ｄが串刺し状に貫通し、ファン１２０のタップ穴１２１ａ、ｂ、ｃ、ｄに止めつけられ共締め固定されている。また、情報処理装置１２４はＨＤＤ１０８ａ、ｂ、ｃを収納するためのスロット１０７ａ、ｂ、ｃを有する。
【００２０】
ここで、情報処理装置１２４は、パーソナルコンピュータ、ワークステーションなどであり、不図示の電源をオンすることにより動作し、記憶媒体をアクセスするものであり、これらに動作により記憶媒体が発熱するものである。
【００２１】
さらに、図２を加えて詳細を説明する。図２は、図１に示したファン１２０、ダクト１１０、及び基板１１３を表す斜視図である。
【００２２】
図１及び図２において、情報処理装置１２４の後端には、スロット１０７ａ、ｂ、ｃに収納されたＲ−ＨＤＤ１０８ａ、ｂ、ｃを冷却するためのファン１２０が取り付けられている。また、ファン１２０の上方にはダクト１１０が取り付けられており、ダクト１１０はファン１２０より出た風を通気口１１０ａ、ｂ、ｃへ導くと共に、通気口１１０ａ、ｂ、ｃ以外に風が流出するのを防いでいる。さらに、ダクト１１０の上面にはＲ−ＨＤＤ１０８ａ、ｂ、ｃと嵌合するためのコネクタ１１１ａ、ｂ、ｃが実装された基板１１３が配置されている。基板１１３にはダクト１１０の通気口１１０ａ、ｂ、ｃと略同じ投影面積を有する通気穴が設けられている。このため、ファン１２０より送られた風は、ダクト１１０及び基板１１３を通り抜け、通気口１１０ａ、ｂ、ｃより排出される。
【００２３】
次に、図３及び図４を用いてスロットの説明を行う。図３は内部構造が見えるように、図１に示した情報処理装置１２４の一部を切り欠いた状態を表す側面図である。また、図４は図１におけるフロントカバー１２２を外した状態の情報処理装置１２４を上面から見た図である。図４の情報処理装置には記憶媒体が収納されていない状態を表し、後述の蓋が全て閉じている状態を示している。尚、各スロット１０７ａ、ｂ、ｃの構成は全て同様であり、以下では、適宜、任意のスロットで説明を行い他のスロットの説明に替える。
【００２４】
図３及び図４において、１０７ａはＲ−ＨＤＤ１０８ａを収納するスロットで、筐体１０１に対して固定されたガイド枠１０３ａで構成され、記憶媒体１０８ａを収納する収納部１２４ａ及び、収納された記憶媒体１０８ａに面した位置にあり、ファン１２０からの風を通すための風路１０５ａが設けられている。ガイド枠１０３ａは基板１１３上の所定位置に固定されており、凸部１２５等がＲ−ＨＤＤ１０８ａの前後より規制し、Ｒ−ＨＤＤ１０８ａが収納部１２４ａに収納された時に基板１１３上のコネクタ１１１ａに正しく嵌合するようにガイドしている。
【００２５】
図３において、スロット１０７ａ、ｂ、ｃ上部には風路１０５ａ、ｂ、ｃより風を排出するための排気口１０６ａ、ｂ、ｃがある。前述のように通気口１１０ａ、ｂ、ｃより出た風は各スロット１０７ａ、ｂ、ｃのそれぞれの風路１０５ａ、ｂ、ｃに流れ、排気口１０６ａ、ｂ、ｃへと排出される。このように、通気口１１０ａ、ｂ、ｃより排出された風が風路１０５ａ、ｂ、ｃに振り分けられる。また振り分けられた個々の風は、収納されたＲ−ＨＤＤ１０８ａ、ｂ、ｃの側面に接触し、Ｒ−ＨＤＤ１０８ａ、ｂ、ｃの表面の熱を奪う。その後、Ｒ−ＨＤＤ１０８ａ、ｂ、ｃの熱を吸収した風は排気口１０６ａ、ｂ、ｃにて外界へ放出される。
【００２６】
図３において、スロット１０７ｂの下方には、通気口１１０ｂを閉口した状態と開口した状態を選択的に切り替えるための蓋１０２ｂがある。蓋１０２ｂはガイド枠１０３ｂに支持され、軸１１４ｂによって回転可動となっている。また、蓋１０２ｂはトーションバネ１１２ｂによって閉口方向に付勢されている。そのため、蓋１０２ｂに外力が掛かっていない場合は、通気口１１０ｂが塞がれ風路１０５ｂには風が吹き込まないようになっている。
【００２７】
しかし、Ｒ−ＨＤＤ１０８ｂがスロット１０７ｂに収納されると、Ｒ−ＨＤＤ１０８ｂの前面が蓋１０２ｂに回転可動に軸支されたローラー１１８ｂを押圧し、蓋１０２ｂを開口方向に回転させ、通気口１１０ｂを開口する。そして、Ｒ−ＨＤＤ１０８ｂが基板１１３上のコネクタ１１１ｂに完全に嵌合する位置に来ると、蓋１０２ｂは全開となる。
【００２８】
図３における蓋１０２ｂの状態は、Ｒ−ＨＤＤ１０８ｂが基板１１３上のコネクタ１１１ｂと嵌合しておらず通気口１１０ｂを塞いでいる状態を示し、蓋１０２ａの状態は、Ｒ−ＨＤＤ１０８ａが基板１１３上のコネクタ１１１ａ（図２参照）と嵌合しており、通気口１１０ａが完全に開口されている状態を示す。
【００２９】
さらに図５を用いて説明を行う。図５は蓋開閉機構の要部を表した斜視図である。図５において、蓋１０２ｃはＲ−ＨＤＤ１０８ｃが収納される以前の状態を示し、蓋１０２ｂはＲ−ＨＤＤ１０８ｂが収納される途中の状態を示し、さらに、蓋１０２ａはＲ−ＨＤＤ１０８ａが基板１１３上のコネクタ１１１ａ（以下では全て図３参照）と完全に嵌合している状態を示している。
【００３０】
図４のようにＲ−ＨＤＤ１０８ａが完全に基板１１３上のコネクタ１１１ａと嵌合すると、面ＡがＲ−ＨＤＤ１０８ａに押し付けられ、Ｒ−ＨＤＤ１０８ａの側面に密着する。この時、Ｒ−ＨＤＤ１０８ａとコネクタ１１１ａの嵌合により蓋１０２ａの開口を維持する力は蓋１０２ａがトーションバネ１１２ａより押し戻される力よりも遥かに強く設定しているので、Ｒ−ＨＤＤ１０８ａがコネクタ１１１ａと嵌合している時、蓋１０２ａは開口を維持し面ＡがＲ−ＨＤＤ１０８Ａに密着し続ける。
【００３１】
蓋１０２ａの材質はアルミニウムであり、Ｒ−ＨＤＤ１０８ａと接する面Ａには熱伝導性の高い弾性の高いゴム等で構成されている為、蓋１０２ａがＲ−ＨＤＤ１０８ａの表面に圧着すると、Ｒ−ＨＤＤ１０８ａの表面の熱が蓋１０２ａに効率良く伝達される。さらに、蓋１０２ａの一部にはヒダ状のヒートシンク部１０４ａが形成されており、蓋１０２ａがＲ−ＨＤＤ１０８ａに圧着した時にちょうど風路１０５ａ（図４参照）に面した位置に来る。そのため、風路１０５ａ（図４参照）を通る風がヒートシンク部１０４ａに直接当たり、蓋１０７の熱を奪い、吸熱した風は図３で説明した排気口１０５ａから排出される。
【００３２】
（第二の実施の形態）
次に、第二の実施の形態について説明を行う。
【００３３】
図６は第二の実施の形態における情報処理装置を、ＨＤＤの厚み方向に平行な面で切断した際の断面図を示している。尚、簡単化のため、説明に不要である部品を省略した。また、第二の実施の形態における情報処理装置と第一の実施形態における情報処理装置とは、蓋１０２ａ等が異なるだけであり、それ以外は第一の実施例と同じ構成となっているので、第一の実施形態と異なる部分だけを抽出して説明を行う。
【００３４】
蓋２０２ａ等には、回転中心２３２ａ等を支点として回転する等シャッター２２５ａ等が取り付けられている。蓋２０２ａのように記憶媒体２０８ａがローラー２１８ａに接していない場合、シャッター２２５ａがコネクタ２１１ａの接点２２９ａ上に位置し、接点２２９ａに異物が混入するのを防ぐ。この時、シャッター２２５ａは図示しない復帰バネの作用によりコネクタ２１１ａの上面に接している。そして、蓋２０２ｂのように、記憶媒体２０８ｂがローラー２１８ｂを押圧し蓋２０２ｂを回転させると、その動きに連動しシャッター２２５ｂがコネクタ２１１ｂの一部に接しながら反力を受け回転中心２３２ｂを中心として回転する。
【００３５】
そして、蓋２０２ｃのように記憶媒体２０８ｃの有するプラグコネクタ２２６ｃの接点２２７ｃとコネクタ２１１ｃの接点２２９ｃが接触をする直前になると、シャッター２２５ｃは接点２２９ｃを露出させる。この時、シャッター２２５ｃはは接点２２７ｃと接点２２９ｃの嵌合の妨げにならないような位置にある。
【００３６】
その後、第一の実施形態にて説明したように、接点２２７ｃと接点２２９ｃの嵌合を解くと蓋２０２ｃが付勢力により元の状態に戻る。その動きに連動し、シャッター２２５ｃは図示しない復帰バネの作用により回転中心２３２ｃを中心として回転し、やがてシャッター２２５ａの状態に戻り、再び接点２２９ｃを保護する。
【００３７】
以上説明の通り本実施の形態によれば、ＨＤＤの収納されたスロットのみに選択的に風を通すことによって、ＨＤＤが収納されたスロットのみを冷却するため、無駄の無い冷却効果を得ることができる。ＨＤＤの使用個数が少ない時は、情報処理装置内部のＨＤＤ実使用温度が下がり、ＨＤＤの寿命が向上する。また、ＨＤＤの表面に積極的にアルミニウムの蓋を押し付け、蓋の裏側のヒートシンク部に風を当てて直接放熱を行うので、高い放熱効果が得られる。さらに、万が一、空きスロットに多少の風が吹き込んだとしても、スロット内のコネクタの接点に異物が付着せず接点保護の効果が得られる。
【図面の簡単な説明】
【００３８】
【図１】本発明の一実施の形態に係る情報処理装置の斜視図。
【図２】図１に示した情報処理装置のファン、ダクト、及び基板の斜視図。
【図３】図１に示した情報処理装置のフロントカバーを外した際の情報処理装置の上面図。
【図４】図１に示した情報処理装置の一部を切り欠いた側面図。
【図５】蓋の開閉機構の要部を示した斜視図。
【図６】他の実施の形態に係る情報処理装置の断面図。
【符号の説明】
【００３９】
１２４  情報処理装置
１０２ａ、ｂ、ｃ  蓋
１２０  ファン
１０４ａ  ヒートシンク部
１０７ａ、ｂ、ｃ  スロット
１１１ａ、ｂ、ｃ  コネクタ
２１１ａ、ｂ、ｃ  コネクタ
２２５ａ、ｂ、ｃ  シャッター
２２９ａ、ｂ、ｃ  接点
【図１】
2006146534.tif 000003
【図２】
2006146534.tif 000004
【図３】
2006146534.tif 000005
【図４】
2006146534.tif 000006
【図５】
2006146534.tif 000007
【図６】
2006146534.tif 000008